(57)【要約】【課題】監視用デバイスと連動したセキュリティを簡易に行うことが可能なセキュリティ監視システム、サーバ及び監視用デバイスの提供。【解決手段】セキュリティ監視システムＳは、１以上のサーバ１と１以上のコンソール装置２とカメラ３とから構成される。サーバ１がコンソール装置２のＩＰアドレスとカメラ３のコンソール撮影条件との対応テーブル及びコンソール装置２の不正使用を検出する手段を有する。コンソール装置２の不正使用を検出した時、サーバ１が不正使用のコンソール装置２のＩＰアドレスに対するカメラ３のコンソール撮影条件を対応テーブルで入手し、入手したコンソール撮影条件をカメラ３に指示する。カメラ３がサーバ１から指示されたコンソール撮影条件で不正使用のコンソール装置２を撮影する。【選択図】図１
2007266672.tif 000002
【特許請求の範囲】
【請求項１】
固有のＩＰアドレスをそれぞれ有する１以上のサーバと、前記１以上のサーバに接続され、固有のＩＰアドレスをそれぞれ有する１以上のコンソール装置と、前記１以上のサーバに接続されて監視対象を撮影する監視用デバイスとから構成され、セキュリティ監視を行うシステムであって、
前記サーバは、前記コンソール装置のＩＰアドレスと前記監視用デバイスのコンソール撮影条件との対応テーブル及びコンソール装置の不正使用を検出する手段を有しており、コンソール装置の不正使用を検出した時、不正使用のコンソール装置のＩＰアドレスに対する前記監視用デバイスのコンソール撮影条件を前記対応テーブルで入手し、入手したコンソール撮影条件を前記監視用デバイスに指示し、前記監視用デバイスは、前記サーバから指示されたコンソール撮影条件で不正使用のコンソール装置を撮影することにより、情報系と物理系のインタフェースを持ち、自律的に監視対象の認識と情報収集、分析、対応を行うシステムであることを特徴とするセキュリティ監視システム。
【請求項２】
上記サーバは、撮影対象のコンソール装置を指定してコンソール装置のＩＰアドレスを入手し、コンソール装置の表示部を明滅させ、コンソール装置の表示部の明滅を捉えてコンソール装置を撮影する上記監視用デバイスのコンソール撮影条件を決定し、コンソール装置のＩＰアドレスと監視用デバイスのコンソール撮影条件との対応テーブルを作成する請求項１に記載のセキュリティ監視システム。
【請求項３】
上記１以上のサーバは、ＩＰアドレスでアクセス可能なエージェントをそれぞれ有すると共に、上記１以上のコンソール装置からＩＰアドレスを収集する手段と、収集したコンソール装置のＩＰアドレスのリストを作成する手段と、前記エージェントを経由してリストされたＩＰアドレスのコンソール装置の表示部を明滅させ、上記監視用デバイスでコンソール装置の表示部の明滅を捉え、前記監視用デバイスの角度とズームを調整する手段と、ＩＰアドレスとコンソール装置の物理的な位置とを関連付けて保存する手段とを備えている請求項２に記載のセキュリティ監視システム。
【請求項４】
上記サーバは、上記コンソール装置の表示部の明滅を捉えてコンソール装置を撮影するように上記監視用デバイスの向きを移動させる請求項２に記載のセキュリティ監視システム。
【請求項５】
上記サーバは、複数の監視用デバイスからコンソール装置を撮影する監視用デバイスを選択する請求項２に記載のセキュリティ監視システム。
【請求項６】
上記コンソール装置を撮影する上記監視用デバイスの調整が人手で行われる請求項２に記載のセキュリティ監視システム。
【請求項７】
固有のＩＰアドレスをそれぞれ有する１以上のサーバと、前記１以上のサーバに接続され、固有のＩＰアドレスをそれぞれ有する１以上のコンソール装置と、前記１以上のサーバに接続されて監視対象を撮影する監視用デバイスとから構成され、セキュリティ監視を行うシステムであって、
前記サーバは、コンソール装置の不正使用を検出する手段を有しており、コンソール装置の不正使用を検出した時、不正使用のコンソール装置のＩＰアドレスを入手し、入手した不正使用のコンソール装置のＩＰアドレスを前記監視用デバイスに送信し、不正使用のコンソール装置の撮影を前記監視用デバイスに指示し、前記監視用デバイスは、前記コンソール装置のＩＰアドレスとコンソール撮影条件との対応テーブルを有しており、前記サーバから送信された不正使用のコンソール装置のＩＰアドレスを受信し、受信した不正使用のコンソール装置のＩＰアドレスに対するコンソール撮影条件を前記対応テーブルで入手し、入手したコンソール撮影条件で不正使用のコンソール装置を撮影することにより、情報系と物理系のインタフェースを持ち、自律的に監視対象の認識と情報収集、分析、対応を行うシステムであることを特徴とするセキュリティ監視システム。
【請求項８】
固有のＩＰアドレスをそれぞれ有する１以上のコンソール装置及び監視対象を撮影する監視用デバイスに接続され、固有のＩＰアドレスをそれぞれ有すると共に、前記コンソール装置のＩＰアドレスと前記監視用デバイスのコンソール撮影条件との対応テーブル及びコンソール装置の不正使用を検出する手段を有しており、コンソール装置の不正使用を検出した時、不正使用のコンソール装置のＩＰアドレスに対する前記監視用デバイスのコンソール撮影条件を前記対応テーブルで入手し、入手したコンソール撮影条件を前記監視用デバイスに指示することを特徴とするサーバ。
【請求項９】
固有のＩＰアドレスをそれぞれ有する１以上のサーバに接続され、コンソール装置のＩＰアドレスとコンソール撮影条件との対応テーブルを有しており、前記サーバから送信された不正使用のコンソール装置のＩＰアドレスを受信し、受信した不正使用のコンソール装置のＩＰアドレスに対するコンソール撮影条件を前記対応テーブルで入手し、入手したコンソール撮影条件で不正使用のコンソール装置を撮影することを特徴とする監視用デバイス。
【発明の詳細な説明】
【技術分野】
【０００１】
本発明は、情報系と物理系のインタフェースを持ち、自律的に監視対象の認識と情報収集、分析、対応ができるセキュリティ監視システム、サーバ及び監視用デバイスに関するものである。
【背景技術】
【０００２】
現状のトータルセキュリティでは、例えば、コンソール装置からサーバに不正なログインがあった場合に、誰がコンソール装置を使っているかカメラで撮影する、といった連携を行う。
【０００３】
しかし、「不正なログイン」というイベントは、サーバのＩＰ（Ｉｎｔｅｒｎｅｔ  Ｐｒｏｔｏｃｏｌ）アドレスをキーに発生するため、そのＩＰアドレスと物理的コンソール装置との関連付けが必要である。
【０００４】
また、コンソール装置は、切替器などで複数のサーバ（ＩＰアドレス）に接続されていたり、サーバ本体と物理的に離れている場合がある。
【０００５】
従来、画像認識にて、カメラ位置を算出する技術が特許文献１に開示されている。
【特許文献１】特開平８−２４０４２１号公報
【発明の開示】
【発明が解決しようとする課題】
【０００６】
ところが、現状では、監視対象のＩＰアドレスとコンソール装置の物理的な位置との関係を自動的に把握することが難しい。
【０００７】
また、サーバとコンソール装置とが離れていたり、切替器を使う場合があるため、サーバ本体よりもコンソール装置の位置を捉える必要がある。
【０００８】
従来の特許文献１に開示されたものは、ある領域を任意に移動するカメラでの静止画像を使用してカメラ位置や姿勢等のパラメータを自動的に得るようにすると共に、映像として映っている物体の認識を行うようにしたものであった。
【０００９】
そこで、本発明の目的は、上記の事情に鑑みてなされたものであって、人手による監視用デバイスの調整やＩＰアドレスとコンソール装置の物理的な位置との関連付けが必要なくなり、コンソール装置の移動による監視用デバイスの再調整も容易に行え、監視用デバイスの撮影したコンソール装置の画像を利用するため、死角になっているなど悪条件を監視用デバイスのコンソール撮影条件の初期設定時に排除することが可能で、ＩＰアドレスとコンソール装置の物理的な位置とが自動的に関連付けられるので、監視用デバイスと連動したセキュリティを簡易に行うことが可能なセキュリティ監視システム、サーバ及び監視用デバイスを提供することにある。
【課題を解決するための手段】
【００１０】
本発明のセキュリティ監視システムは、固有のＩＰアドレスをそれぞれ有する１以上のサーバと、前記１以上のサーバに接続され、固有のＩＰアドレスをそれぞれ有する１以上のコンソール装置と、前記１以上のサーバに接続されて監視対象を撮影する監視用デバイスとから構成され、セキュリティ監視を行うシステムであって、前記サーバが、前記コンソール装置のＩＰアドレスと前記監視用デバイスのコンソール撮影条件との対応テーブル及びコンソール装置の不正使用を検出する手段を有しており、コンソール装置の不正使用を検出した時、不正使用のコンソール装置のＩＰアドレスに対する前記監視用デバイスのコンソール撮影条件を前記対応テーブルで入手し、入手したコンソール撮影条件を前記監視用デバイスに指示し、前記監視用デバイスが、前記サーバから指示されたコンソール撮影条件で不正使用のコンソール装置を撮影することにより、情報系と物理系のインタフェースを持ち、自律的に監視対象の認識と情報収集、分析、対応を行うシステムであることを特徴とする構成を有するものである。
【００１１】
本発明のセキュリティ監視システムは、上記サーバが、撮影対象のコンソール装置を指定してコンソール装置のＩＰアドレスを入手し、コンソール装置の表示部を明滅させ、コンソール装置の表示部の明滅を捉えてコンソール装置を撮影する上記監視用デバイスのコンソール撮影条件を決定し、コンソール装置のＩＰアドレスと監視用デバイスのコンソール撮影条件との対応テーブルを作成するようになっている。
【００１２】
本発明のセキュリティ監視システムは、上記１以上のサーバが、ＩＰアドレスでアクセス可能なエージェントをそれぞれ有すると共に、上記１以上のコンソール装置からＩＰアドレスを収集する手段と、収集したコンソール装置のＩＰアドレスのリストを作成する手段と、前記エージェントを経由してリストされたＩＰアドレスのコンソール装置の表示部を明滅させ、上記監視用デバイスでコンソール装置の表示部の明滅を捉え、前記監視用デバイスの角度とズームを調整する手段と、ＩＰアドレスとコンソール装置の物理的な位置とを関連付けて保存する手段とを備えている。
【００１３】
本発明のセキュリティ監視システムは、上記サーバが、上記コンソール装置の表示部の明滅を捉えてコンソール装置を撮影するように上記監視用デバイスの向きを移動させるようになっている。
【００１４】
本発明のセキュリティ監視システムは、上記サーバが、複数の監視用デバイスからコンソール装置を撮影する監視用デバイスを選択するようになっている。
【００１５】
本発明のセキュリティ監視システムは、上記コンソール装置を撮影する上記監視用デバイスの調整が人手で行われるようになっている。
【００１６】
本発明のセキュリティ監視システムは、固有のＩＰアドレスをそれぞれ有する１以上のサーバと、前記１以上のサーバに接続され、固有のＩＰアドレスをそれぞれ有する１以上のコンソール装置と、前記１以上のサーバに接続されて監視対象を撮影する監視用デバイスとから構成され、セキュリティ監視を行うシステムであって、前記サーバが、コンソール装置の不正使用を検出する手段を有しており、コンソール装置の不正使用を検出した時、不正使用のコンソール装置のＩＰアドレスを入手し、入手した不正使用のコンソール装置のＩＰアドレスを前記監視用デバイスに送信し、不正使用のコンソール装置の撮影を前記監視用デバイスに指示し、前記監視用デバイスが、前記コンソール装置のＩＰアドレスとコンソール撮影条件との対応テーブルを有しており、前記サーバから送信された不正使用のコンソール装置のＩＰアドレスを受信し、受信した不正使用のコンソール装置のＩＰアドレスに対するコンソール撮影条件を前記対応テーブルで入手し、入手したコンソール撮影条件で不正使用のコンソール装置を撮影することにより、情報系と物理系のインタフェースを持ち、自律的に監視対象の認識と情報収集、分析、対応を行うシステムであることを特徴とする構成を有するものである。
【００１７】
本発明のサーバは、固有のＩＰアドレスをそれぞれ有する１以上のコンソール装置及び監視対象を撮影する監視用デバイスに接続され、固有のＩＰアドレスをそれぞれ有すると共に、前記コンソール装置のＩＰアドレスと前記監視用デバイスのコンソール撮影条件との対応テーブル及びコンソール装置の不正使用を検出する手段を有しており、コンソール装置の不正使用を検出した時、不正使用のコンソール装置のＩＰアドレスに対する前記監視用デバイスのコンソール撮影条件を前記対応テーブルで入手し、入手したコンソール撮影条件を前記監視用デバイスに指示することを特徴とする構成を有するものである。
【００１８】
本発明の監視用デバイスは、固有のＩＰアドレスをそれぞれ有する１以上のサーバに接続され、コンソール装置のＩＰアドレスとコンソール撮影条件との対応テーブルを有しており、前記サーバから送信された不正使用のコンソール装置のＩＰアドレスを受信し、受信した不正使用のコンソール装置のＩＰアドレスに対するコンソール撮影条件を前記対応テーブルで入手し、入手したコンソール撮影条件で不正使用のコンソール装置を撮影することを特徴とする構成を有するものである。
【発明の効果】
【００１９】
以上に述べたように、本発明によれば、人手による監視用デバイスの調整やＩＰアドレスとコンソール装置の物理的な位置との関連付けが必要なくなり、コンソール装置の移動による監視用デバイスの再調整も容易に行え、監視用デバイスの撮影したコンソール装置の画像を利用するため、死角になっているなど悪条件を監視用デバイスのコンソール撮影条件の初期設定時に排除することが可能で、ＩＰアドレスとコンソール装置の物理的な位置とが自動的に関連付けられるので、監視用デバイスと連動したセキュリティを簡易に行うことが可能なセキュリティ監視システム、サーバ及び監視用デバイスを得ることができる。
【発明を実施するための最良の形態】
【００２０】
以下、本発明を実施するための最良の形態を図面を参照して詳細に説明する。
【実施例】
【００２１】
本発明のセキュリティ監視システムＳは、固有のＩＰアドレスをそれぞれ有する１以上のサーバ１（１ａ，１ｂ，１ｃ，１ｄ）と、１以上のサーバ１に接続され、固有のＩＰアドレスをそれぞれ有する１以上のコンソール装置２（２ａ，２ｂ）と、１以上のサーバ１に接続されて監視対象を撮影する監視用デバイスであるカメラ３とから構成され、セキュリティ監視を行うシステムである。
【００２２】
本発明のセキュリティ監視システムＳは、サーバ１が、コンソール装置２のＩＰアドレスとカメラ３のコンソール撮影条件との対応テーブル及びコンソール装置２の不正使用を検出する手段を有している。
【００２３】
本発明のセキュリティ監視システムＳは、サーバ１が、コンソール装置２の不正使用を検出した時、不正使用のコンソール装置２のＩＰアドレスに対するカメラ３のコンソール撮影条件を対応テーブルで入手し、入手したコンソール撮影条件をカメラ３に指示するようになっている。
【００２４】
本発明のセキュリティ監視システムＳは、カメラ３が、サーバ１から指示されたコンソール撮影条件で不正使用のコンソール装置２を撮影することにより、情報系と物理系のインタフェースを持ち、自律的に監視対象の認識と情報収集、分析、対応を行うシステムである。
【００２５】
本発明のセキュリティ監視システムＳは、サーバ１が、撮影対象のコンソール装置２を指定してコンソール装置２のＩＰアドレスを入手し、コンソール装置２の表示部であるディスプレイ２０を明滅させ、コンソール装置２のディスプレイ２０の明滅を捉えてコンソール装置２を撮影するカメラ３のコンソール撮影条件を決定し、コンソール装置２のＩＰアドレスとカメラ３のコンソール撮影条件との対応テーブルを作成するようになっている。
【００２６】
本発明のセキュリティ監視システムＳは、１以上のサーバ１（１ａ，１ｂ，１ｃ，１ｄ）が、ＩＰアドレスでアクセス可能なエージェント１０（１０ａ，１０ｂ，１０ｃ，１０ｄ）をそれぞれ有すると共に、１以上のコンソール装置２（２ａ，２ｂ）からＩＰアドレスを収集する手段と、収集したコンソール装置２のＩＰアドレスのリストを作成する手段と、エージェント１０を経由してリストされたＩＰアドレスのコンソール装置２のディスプレイ２０を明滅させ、カメラ３でコンソール装置２のディスプレイ２０の明滅を捉え、カメラ３の角度とズームを調整する手段と、ＩＰアドレスとコンソール装置２の物理的な位置とを関連付けて保存する手段とを備えている。
【００２７】
本発明のセキュリティ監視システムＳは、サーバ１が、コンソール装置２のディスプレイ２０の明滅を捉えてコンソール装置２を撮影するようにカメラ３の向きを移動させるようになっている。
【００２８】
本発明のセキュリティ監視システムＳは、サーバ１が、複数のカメラ３からコンソール装置２を撮影するカメラ３を選択するようになっている。
【００２９】
本発明のセキュリティ監視システムＳは、コンソール装置２を撮影するカメラ３の調整が人手で行われるようになっている。
【００３０】
本発明のセキュリティ監視システムＳは、固有のＩＰアドレスをそれぞれ有する１以上のサーバ１（１ａ，１ｂ，１ｃ，１ｄ）と、１以上のサーバ１に接続され、固有のＩＰアドレスをそれぞれ有する１以上のコンソール装置２（２ａ，２ｂ）と、１以上のサーバ１に接続されて監視対象を撮影するカメラ３とから構成されている。
【００３１】
本発明のセキュリティ監視システムＳは、サーバ１が、コンソール装置２の不正使用を検出する手段を有している。
【００３２】
本発明のセキュリティ監視システムＳは、サーバ１が、コンソール装置２の不正使用を検出した時、不正使用のコンソール装置２のＩＰアドレスを入手し、入手した不正使用のコンソール装置２のＩＰアドレスをカメラ３に送信し、不正使用のコンソール装置２の撮影をカメラ３に指示するようになっている。
【００３３】
本発明のセキュリティ監視システムＳは、カメラ３が、コンソール装置２のＩＰアドレスとコンソール撮影条件との対応テーブルを有している。
【００３４】
本発明のセキュリティ監視システムＳは、カメラ３が、サーバ１から送信された不正使用のコンソール装置２のＩＰアドレスを受信し、受信した不正使用のコンソール装置２のＩＰアドレスに対するコンソール撮影条件を対応テーブルで入手し、入手したコンソール撮影条件で不正使用のコンソール装置２を撮影することにより、情報系と物理系のインタフェースを持ち、自律的に監視対象の認識と情報収集、分析、対応を行うシステムである。
【００３５】
本発明のサーバは、固有のＩＰアドレスをそれぞれ有する１以上のコンソール装置２（２ａ，２ｂ）及び監視対象を撮影するカメラ３に接続されている。
【００３６】
本発明のサーバは、固有のＩＰアドレスをそれぞれ有すると共に、コンソール装置２のＩＰアドレスとカメラ３のコンソール撮影条件との対応テーブル及びコンソール装置２の不正使用を検出する手段を有している。
【００３７】
本発明のサーバは、コンソール装置２の不正使用を検出した時、不正使用のコンソール装置２のＩＰアドレスに対するカメラ３のコンソール撮影条件を対応テーブルで入手し、入手したコンソール撮影条件をカメラ３に指示するようになっている。
【００３８】
本発明の監視用デバイスは、固有のＩＰアドレスをそれぞれ有する１以上のサーバ１（１ａ，１ｂ，１ｃ，１ｄ）に接続されている。
【００３９】
本発明の監視用デバイスは、コンソール装置２のＩＰアドレスとコンソール撮影条件との対応テーブルを有している。
【００４０】
本発明の監視用デバイスは、サーバ１から送信された不正使用のコンソール装置２のＩＰアドレスを受信し、受信した不正使用のコンソール装置２のＩＰアドレスに対するコンソール撮影条件を対応テーブルで入手し、入手したコンソール撮影条件で不正使用のコンソール装置２を撮影するようになっている。
【００４１】
図１は、本発明の実施例に係るセキュリティ監視システムを示すシステム構成図である。
セキュリティ監視システムＳは、図１に示すように、複数のサーバ１ａ，１ｂ，１ｃ，１ｄと、サーバを操作する複数のコンソール装置２ａ，２ｂと、コンソール装置を撮影するカメラ３とから構成されている。
【００４２】
複数のサーバ１ａ，１ｂ，１ｃ，１ｄは、ＩＰアドレスでアクセス可能なエージェント１０ａ，１０ｂ，１０ｃ，１０ｄをそれぞれ有している。
【００４３】
複数のサーバ１ａ，１ｂ，１ｃ，１ｄと複数のコンソール装置２ａ，２ｂとは、図１に示すように、ＬＡＮ（Ｌｏｃａｌ  Ａｒｅａ  Ｎｅｔｗｏｒｋ）４でネットワーク接続されている。
【００４４】
サーバ１は、ディスプレイ切替器（図示せず）にてコンソール装置２を利用する。
【００４５】
エージェント１０は、サーバ１からの指示によりコンソール装置２のディスプレイ２０を明滅させる。
【００４６】
カメラ３は、複数のサーバ１ａ，１ｂ，１ｃ，１ｄと無線で情報の送受信を行うアンテナ３０を有している。
【００４７】
複数のサーバ１ａ，１ｂ，１ｃ，１ｄとカメラ３とは、無線ＬＡＮで接続されている。
【００４８】
本発明のセキュリティ監視システムの情報系Ｉ／Ｆ（インタフェース）は、ＬＡＮ及び無線ＬＡＮである。
【００４９】
本発明のセキュリティ監視システムの物理系Ｉ／Ｆ（インタフェース）は、カメラ３である。
【００５０】
本発明のセキュリティ監視システムでは、サーバ１が、ＩＰアドレスでアクセス可能なエージェント１０を使い、コンソール装置２のディスプレイ２０をカメラ３が認識可能なパターンで明減させる。
【００５１】
図２は、本発明の実施例に係るセキュリティ監視システムにおける監視対象機器の監視時の処理の流れを説明するフローチャート図である。
まず、サーバ１のエージェント１０がコンソール装置２の不正使用を検出すると（ステップＳ１００）、サーバ１が不正使用のコンソール装置２のＩＰアドレスに対するカメラ３のコンソール撮影条件を対応テーブルで入手し（ステップＳ１０１）、次いで、サーバ１が入手したコンソール撮影条件をカメラ３に指示し（ステップＳ１０２）、その後、カメラ３がサーバ１から指示されたコンソール撮影条件で不正使用のコンソール装置２を撮影する（ステップＳ１０３）。
【００５２】
カメラ３は、撮影した不正使用のコンソール装置２の画像データをサーバ１に送信する。
【００５３】
サーバ１は、カメラ３から送信された不正使用のコンソール装置２の画像データを受信し、受信した不正使用のコンソール装置２の画像データを記憶する。
【００５４】
したがって、コンソール装置２からサーバ１に不正なログインがあった場合に、誰がコンソール装置２を使っているのかを明らかにすることができる。
【００５５】
なお、カメラ３が撮影した不正使用のコンソール装置２の画像データは、カメラ内に記憶しても良い。
【００５６】
図３は、本発明の実施例に係るセキュリティ監視システムにおける監視用デバイスのコンソール撮影条件の設定時の処理の流れを説明するフローチャート図である。
まず、撮影対象のコンソール装置２を指定すると（ステップＳ２００）、サーバ１が指定したコンソール装置２のＩＰアドレスを入手し（ステップＳ２０１）、次いで、サーバ１が指定したコンソール装置２のディスプレイ２０を明滅させ（ステップＳ２０２）、次いで、サーバ１がコンソール装置２のディスプレイ２０の明滅を捉えてコンソール装置２を撮影するカメラ３のコンソール撮影条件を決定し（ステップＳ２０３）、その後、サーバ１がコンソール装置２のＩＰアドレスとカメラ３のコンソール撮影条件との対応テーブルを作成する（ステップＳ２０４）。
【００５７】
本発明のセキュリティ監視システムは、コンソール装置２の不正利用時などに、正しく不正使用のコンソール装置２をモニタする。
【００５８】
本発明のセキュリティ監視システムでは、セキュリティインシデント発生時のカメラ３が撮影したコンソール装置２の画像を後で利用する。
【００５９】
カメラ定常位置を全てのコンソール装置をカバーできる位置にしておき、必要に応じてカメラ３をズームさせることで、一つのカメラ３が複数のコンソール装置２をカバーすることも可能である。
【００６０】
また、サーバ１は、ソフトウェアのエージェント１０だけで、コンソール装置２の物理的な位置を把握することができる。
【００６１】
さらに、ＩＰアドレスとコンソール装置２の物理的な位置とが自動的に関連付けられるので、カメラ３と連動したセキュリティが可能になる。
【００６２】
以上実施例で説明したが、本発明のセキュリティ監視システムの特徴は、以下の通りである。
Ａ．監視対象機器となるコンソール装置２のＩＰアドレスのリストを作成し、コンソール装置２の位置を移動的に把握する。
【００６３】
（１）一定期間ネットワークをモニタすることで、監視対象機器のＩＰアドレス候補のリストを作成する。
【００６４】
（２）サーバ１が、エージェント１０経由でリストされたＩＰアドレスのコンソール装置２のディスプレイ２０を明滅させる。
【００６５】
（３）カメラ３でコンソール装置２のディスプレイ２０の明滅を捉え、カメラ３の角度とズームを調整し、サーバ１がＩＰアドレスとコンソール装置２の物理的な位置とを関連付けを保存する。
【００６６】
カメラ３がコンソール装置２のディスプレイ２０の明滅を検知できない場合は、コンソール装置２が監視対象ではないと判断する。
【００６７】
Ｂ．サーバ１とコンソール装置２との通信発生時に、カメラ３がコンソール装置２をモニタし、コンソール装置２からサーバ１への不正なログインなどの異常がある場合は、対応手段をとる。
【００６８】
サーバ１のエージェント１０がコンソール装置２の不正使用によるサーバ１への不正なログインなどの異常を検出した場合、カメラ３が不正使用のコンソール装置２の画像を撮影する。
【００６９】
本発明のセキュリティ監視システムでは、ＩＰアドレスとコンソール装置２の物理的な位置とを関連付けは、定期的に確認を行う。
【００７０】
また、人手作業をできるだけ少なくすることが本発明のセキュリティ監視システムの目的であるが、全てを自動で完璧に実現するものではない。
例えば、ある程度のＩＰアドレスとコンソール装置２の物理的な位置との関連付けを行った段階で、目視によるＩＰアドレスとコンソール装置２の物理的な位置との関連付けの確認と人手によるカメラ３の調整を行う。
【図面の簡単な説明】
【００７１】
【図１】本発明の実施例に係るセキュリティ監視システムを示すシステム構成図。
【図２】本発明の実施例に係るセキュリティ監視システムにおける監視対象機器の監視時の処理の流れを説明するフローチャート図。
【図３】本発明の実施例に係るセキュリティ監視システムにおける監視用デバイスのコンソール撮影条件の設定時の処理の流れを説明するフローチャート図。
【符号の説明】
【００７２】
１，１ａ，１ｂ，１ｃ，１ｄ  サーバ
２，２ａ，２ｂ  コンソール装置
３  カメラ（監視用デバイス）
４  ＬＡＮ
１０，１０ａ，１０ｂ，１０ｃ，１０ｄ  エージェント
２０  ディスプレイ（表示部）
３０  アンテナ
Ｓ  セキュリティ監視システム
【図１】
2007266672.tif 000003
【図２】
2007266672.tif 000004
【図３】
2007266672.tif 000005